(57)【要約】【課題】  独立型カラオケ装置の移動用のハンドルの設置部位に工夫を凝らすと共に、筐体の全周においてバンパー機能を果すと同時に段差のある場所での筐体前部の持上げを容易にできるバンパーを具備した独立型カラオケ装置を提供すること。【解決手段】  カラオケシステムを構成するスピーカ３，マイクロホン４，それらのアンプ，ハードディスク装置などを一個の筐体１に搭載し、その筐体１の底部にキャスタ６を備えた独立型カラオケ装置において、前記筐体１の上部に、筐体１の壁面を取り巻くようにハンドル７を設けると共に、当該筐体１における底部近傍に、その筐体１を取り巻き、かつ、筐体壁面から突出したバンパー８を設けたこと。【選択図】図１
0003115451.tif 000002
【実用新案登録請求の範囲】
【請求項１】
カラオケシステムを構成するスピーカ，マイクロホン，それらのアンプ，ハードディスク装置などを一個の筐体に搭載し、その筐体の底部にキャスタを備えた独立型カラオケ装置において、前記筐体の上部に、筐体の壁面を取り巻くようにハンドルを設けると共に、当該筐体における底部近傍に、その筐体を取り巻き、かつ、筐体壁面から突出したバンパーを設けたことを特徴とする独立型カラオケ装置。
【請求項２】
ハンドルは、筐体の壁面から適宜離間してその筐体の背面又は正面と左右側面を取り巻くようにパイプ材を取付けて形成した請求項１の独立型カラオケ装置。
【請求項３】
バンパーは、筐体下部の周壁面を取り巻き、かつ、その壁面から突出するようにパイプ材を取付けて形成した請求項１又は２の独立型カラオケ装置。
【請求項４】
バンパーにおいて、筐体のハンドルが設けられた背面又は正面に位置する部位のバンパーは、壁面からより大きく突出させて取付けた請求項３の独立型カラオケ装置。
【考案の詳細な説明】
【技術分野】
【０００１】
本考案は、カラオケに必要なオーディオ機構とディスプレイ機構などをすべて一つの筐体に搭載した独立型（オールインワンタイプ）のカラオケ装置に関し、より具体的には、カラオケ装置の設置場所での移動を容易にできる構造を具備したカラオケ装置に関する。
【背景技術】
【０００２】
独立型のカラオケ装置は、カラオケシステムを構成するスピーカ，マイクロホン，これらのアンプ，液晶ディスプレイ装置，背景画像用のディスクプレーヤ，カラオケデータを格納するハードディスク装置，カラオケデータの再生処理部，画像制御部，操作パネル，リモコン装置などが一個の筐体（ハウジング）に適宜のレイアウトでマウントされたものである。
【０００３】
従って、独立型カラオケ装置は、導入場所で任意に移動させることができるように筐体の底部にキャスタを備えると共に、移動用のハンドルを備えたものが、特許文献１などにより知られている。
【０００４】
しかし、公知の独立型カラオケ装置のハンドルは、装置の背面（又は正面）に１本のバー状ハンドルが設けられているだけであるから、カラオケ装置を移動させるためには必らずハンドルが設けられている側に人が回らなければならないという煩しさの問題がある。
【０００５】
また、公知の独立型カラオケ装置では、装置の移動時に筐体が壁などに衝突してもダメージを受け難くするための緩衝部材が筐体の四隅に設けられているが、カラオケ装置の筐体が壁などに衝突するのはその筐体の四隅に限られる訳ではないので、前記緩衝部材のバンパー機能が十分とはいえない面での問題もある。
【特許文献１】特開平１０−２０８６８号公報
【考案の開示】
【考案が解決しようとする課題】
【０００６】
本考案は公知の独立型カラオケ装置の問題点に鑑み、独立型カラオケ装置の移動用のハンドルの設置部位に工夫を凝らすと共に、筐体の全周においてバンパー機能を果すと同時に段差のある場所での筐体前部の持上げを容易にできるバンパーを具備した独立型カラオケ装置を提供することを、その課題とする。
【課題を解決するための手段】
【０００７】
上記課題を解決することを目的としてなされた本考案カラオケ装置の構成は、カラオケシステムを構成するスピーカ，マイクロホン，それらのアンプ，ハードディスク装置などを一個の筐体に搭載し、その筐体の底部にキャスタを備えた独立型カラオケ装置において、前記筐体の上部に、筐体の壁面を取り巻くようにハンドルを設けると共に、当該筐体における底部近傍に、その筐体を取り巻き、かつ、筐体壁面から突出したバンパーを設けたことを特徴とするものである。
【０００８】
本考案において、ハンドルは、筐体の壁面から適宜離間してその筐体の背面又は正面と左右側面を取り巻くようにパイプ材を取付けて形成する。また、バンパーは、筐体下部の周壁面を取り巻き、かつ、その壁面から突出するようにパイプ材を取付けて形成したものである。このバンパーにおいて、筐体のハンドルが設けられた背面又は正面に位置する部位のバンパーは、壁面からより大きく突出させて形成し、このカラオケ装置を段差部を乗り越えて移動させるとき、筐体の前部を持上げるための足掛け部として利用し易いようにした。
【考案の効果】
【０００９】
本考案は、独立型カラオケ装置において、前記筐体の上部に、筐体の壁面を取り巻くようにハンドルを設けると共に、当該筐体における底部近傍に、その筐体を取り巻き、かつ、筐体壁面から突出したバンパーを設けたので、ハンドルが設けられた背面（又は正面）に回らなくても、左，右いずれかの側面からでもカラオケ装置を移動させることができる。そして、バンパーは筐体下部の全周を取り巻くように設けられているので、バンパー機能が十分であるのみならず、そのバンパーを移動方向の前部を持上げるための足掛け部として利用することができる。
【考案を実施するための最良の形態】
【００１０】
次に本考案カラオケ装置の実施の形態の一例について、図を参照して説明する。図１は本考案カラオケ装置の側面図、図２は図１のカラオケ装置において、ディスプレイ２とスピーカ３を取外した状態の平面図である。
【００１１】
図において、１はカラオケシステムを構成する種々の部材が搭載された筐体、２はこの筐体１の上部正面側に起伏，旋回可能に立設した液晶ディスプレイ、３はディスプレイ２の下部に配置したスピーカ、４は筐体１の上部の正面側にセットされたマイクロホン、５は筐体１の背面側の上部に配置した操作部であり、他の構成部材は筐体１の内部に収納搭載され、独立型（オールインワンタイプ）のカラオケ装置に形成されている。
【００１２】
前記筐体１の底部四隅には４個のキャスタ６が設けられ、このカラオケ装置を移動可能にしている。本考案ではこの移動操作を容易かつ省力的に行うことを可能にするため、以下の構成を付加したので、この点について説明する。
【００１３】
図において、７は上記筐体１の背面（図１の右側）上部において操作部５より下方の位置と、その位置から連続して筐体１の左右側面を取り巻くように設けた平面視略コ状をなすハンドルである。このハンドル７はパイプ材により形成され、筐体１の背面と左右両側面に設けられているから、カラオケ装置の移動時に、筐体１の背面のみならず、左又は右の側面からも移動のためのアクセスをすることができる。
【００１４】
８は筐体１の底に近い下部に、当該筐体１の全周を取り巻き、かつ、筐体壁面から突出するように取付けたパイプ製のバンパーで、図の例では、筐体背面側の突出量を他の部位の突出量より大きく形成している。
このバンパー８は、筐体壁面から突出していることにより、このカラオケ装置を段差部を乗り越えさせようとするとき、バンパー８の突出部分に足を掛けて移動方向の前部のキャスタ６を持上げることを容易にする。
【産業上の利用可能性】
【００１５】
本考案は以上の通りであって、独立型カラオケ装置において、前記筐体の上部に、筐体の壁面を取り巻くようにハンドルを設けると共に、当該筐体における底部近傍に、その筐体を取り巻き、かつ、筐体壁面から突出したバンパーを設けたから、カラオケ装置の移動を筐体の３側面のいずれの側からでも楽に行うことができるのみならず、どの側面からの移動においてもバンパーに足を掛けてカラオケ装置の前部を持上げることができる段差を楽に乗り越えることができる。また、バンパーが筐体下部の全周を取り巻いているので、バンパー機能も十分である。
【図面の簡単な説明】
【００１６】
【図１】本考案カラオケ装置の側面図。
【図２】図１のカラオケ装置において、ディスプレイ２とスピーカ３を取外した状態の平面図。
【符号の説明】
【００１７】
１    筐体
２    液晶ディスプレイ
３    スピーカ
４    マイクロホン
５    操作部
６    キャスタ
７    ハンドル
８    バンパー
【図１】
0003115451.tif 000003
【図２】
0003115451.tif 000004